(57)【要約】      （修正有）【課題】ユーザーによって印刷領域の移動量が一旦設定された後、原稿のサイズや印刷用紙のサイズなどを変更した場合でも、原稿を適切に印刷用紙の範囲内に印刷する。【解決手段】印刷領域設定装置は、移動量受付部と、用紙サイズ受付部とを備え、移動量受付部が、用紙サイズ受付部によって受け付けられる印刷用紙のサイズ情報が変更された際、その変更後の印刷用紙の範囲内に印刷領域が収まるような移動量のみを画像位置調整画面において受け付けるようにする。【選択図】図９
2011086153.tif 000002
【特許請求の範囲】
【請求項１】
原稿を表す画像データの印刷用紙内における印刷領域の条件を受け付ける印刷領域設定装置において、
前記印刷用紙内における前記印刷領域の位置の移動量を受け付ける移動量受付部と、
前記印刷用紙のサイズ情報を受け付ける用紙サイズ受付部とを備え、
前記移動量受付部が、前記用紙サイズ受付部によって受け付けられる前記印刷用紙のサイズ情報が変更された際、該変更後の印刷用紙のサイズの範囲内に前記印刷領域が収まるような移動量のみを受け付けるものであることを特徴とする印刷領域設定装置。
【請求項２】
原稿を表す画像データの印刷用紙内における印刷領域の条件を受け付ける印刷領域設定装置において、
前記印刷用紙内における前記印刷領域の位置の移動量を受け付ける移動量受付部と、
前記原稿のサイズ情報を受け付ける原稿サイズ受付部とを備え、
前記移動量受付部が、前記原稿サイズ受付部によって受け付けられる前記原稿のサイズ情報が変更された際、該変更後の原稿のサイズに応じた前記印刷領域が前記印刷用紙の範囲内に収まるような移動量のみを受け付けるものであることを特徴とする印刷領域設定装置。
【請求項３】
原稿を表す画像データの印刷用紙内における印刷領域の条件を受け付ける印刷領域設定装置において、
前記印刷用紙内における前記印刷領域の位置の移動量を受け付ける移動量受付部と、
前記印刷用紙の向きの情報を受け付ける用紙向き受付部とを備え、
前記移動量受付部が、前記用紙向き受付部によって受け付けられる前記印刷用紙の向き情報が変更された際、該変更後の印刷用紙の範囲内に前記印刷領域が収まるような移動量のみを受け付けるものであることを特徴とする印刷領域設定装置。
【請求項４】
原稿を表す画像データの印刷用紙内における印刷領域の条件を受け付ける印刷領域設定装置において、
前記印刷用紙内における前記印刷領域の位置の移動量を受け付ける移動量受付部と、
前記原稿の向き情報を受け付ける原稿向き受付部とを備え、
前記移動量受付部が、前記原稿向き受付部によって受け付けられる前記原稿の向き情報が変更された際、該変更後の原稿の向きに応じた前記印刷領域が前記印刷用紙の範囲内に収まるような移動量のみを受け付けるものであることを特徴とする印刷領域設定装置。
【請求項５】
前記移動量受付部が、前記変更前に入力された前記印刷領域の移動量が前記変更後において前記印刷用紙の範囲内に前記印刷領域が収まらない移動量である場合にのみ、前記変更前に入力された印刷領域の移動量を前記印刷用紙の範囲内に前記印刷領域が収まるような移動量に自動的に変更するものであることを特徴とする請求項１から４いずれか１項記載の印刷領域設定装置。
【請求項６】
前記移動量受付部が、前記変更前に入力された印刷領域の移動量を前記印刷用紙の範囲内における前記印刷領域の移動可能量の最大値に自動的に変更するものであることを特徴とする請求項５項記載の印刷領域設定装置。
【請求項７】
前記移動量受付部が、前記印刷用紙の天から前記印刷領域の天までの長さと前記印刷用紙の地から前記印刷領域の地までの長さとの比率および前記印刷用紙の左端から前記印刷領域の左端までの長さと前記印刷用紙の右端から前記印刷領域の右端までの長さとの比率の少なくとも一方が、前記変更前と前記変更後とで変化しないように前記変更前に入力された前記印刷領域の移動量を自動的に変更するものであることを特徴とする請求項１から５いずれか１項記載の印刷領域設定装置。
【請求項８】
前記移動量受付部が、前記変更後の前記印刷領域の天地方向の基準位置として、前記印刷用紙の天、中央位置および地のうちのいずれか１つの選択を受け付けるものであるとともに、該選択された前記基準位置からの前記印刷領域の移動量を受け付けるものであることを特徴とする請求項１から５いずれか１項記載の印刷領域設定装置。
【請求項９】
前記移動量受付部が、前記変更後の前記印刷領域の左右方向の基準位置として、前記印刷用紙の左端、中央位置および右端のうちのいずれか１つの選択を受け付けるものであるとともに、該選択された前記基準位置からの前記印刷領域の移動量を受け付けるものであることを特徴とする請求項１から５いずれか１項記載の印刷領域設定装置。
【発明の詳細な説明】
【技術分野】
【０００１】
本発明は、原稿を表す画像データの印刷用紙内における印刷領域の条件を受け付ける印刷領域設定装置に関するものである。
【背景技術】
【０００２】
従来、インクジェットプリンタや孔版印刷装置など種々のプリンタが知られている。このようなプリンタを用いてプリントを行う際には、コンピュータにおいてプリンタドライバによってユーザーインターフェース画面を表示させ、その画面上において原稿のサイズや印刷用紙のサイズが設定される。
【０００３】
そして、ユーザーインターフェース画面において設定される原稿のサイズと印刷用紙のサイズとは必ずしも一致せず、これらが互いに異なる場合がある。このような場合、従来のプリンタドライバにおいては、たとえば、原稿を表す画像データに拡大処理または縮小処理などを施すことによって印刷用紙のサイズに合った画像を印刷する方法か、もしくは、原稿のサイズと印刷用紙のサイズとが互いに異なる場合でも、原稿を表す画像データに上述のような拡大処理や縮小処理を行うのではなく、そのままの大きさで印刷用紙に印刷する方法のいずれかが採用されていた。
【０００４】
そして、後述の方法においては、原稿のサイズが印刷用紙のサイズよりも小さい場合には、原稿を表す画像データの印刷用紙内における印刷領域の位置をユーザーが設定する必要がある。
【０００５】
そこで、たとえば、ユーザーインターフェースの画面上において、ユーザーによって設定された原稿のサイズと印刷用紙のサイズとに基づいて、印刷領域の移動可能量を表示し、その範囲内で印刷領域の移動量を設定する方法が考えられる。
【０００６】
なお、特許文献１には、製版装置を備えた孔版印刷装置において、印刷用紙に対する原版の左右方向および天地方向の位置を、マーク表示を利用して調整する方法が提案されている。
【先行技術文献】
【特許文献】
【０００７】
【特許文献１】特開平７−１３７２３４号公報
【発明の概要】
【発明が解決しようとする課題】
【０００８】
しかしながら、たとえば、ユーザーによって印刷領域の移動量が一旦設定された後、原稿のサイズや印刷用紙のサイズを変更したい場合もあり、このような場合、変更前に設定された印刷領域の移動量をそのまま使用したのでは適切な印刷ができない場合がある。
【０００９】
たとえば、原稿のサイズがＡ４サイズ（２１０ｍｍ×２９７ｍｍ）に設定され、印刷用紙のサイズがＡ３サイズ（２９７ｍｍ×４２０ｍｍ）に設定され、印刷領域の移動量として、図６に示すように天地方向について１２３ｍｍが一旦設定された後、印刷用紙のサイズがＡ３サイズからＢ４サイズ（２５７ｍｍ×３６４ｍｍ）に変更された場合、印刷用紙に対する印刷領域の位置が、図８に示すような位置となり、天地方向に５６ｍｍはみ出してしまい原稿を適切に印刷することができない問題が生じる。
【００１０】
本発明は、上記事情に鑑み、原稿を表す画像データの印刷用紙内における印刷領域の条件を受け付ける印刷領域設定装置において、ユーザーによって印刷領域の移動量が一旦設定された後、原稿のサイズや印刷用紙のサイズなどを変更した場合でも、原稿を適切に印刷用紙の範囲内に印刷することができる印刷領域設定装置を提供することを目的とするものである。
【課題を解決するための手段】
【００１１】
本発明の印刷領域設定装置は、原稿を表す画像データの印刷用紙内における印刷領域の条件を受け付ける印刷領域設定装置において、印刷用紙内における印刷領域の位置の移動量を受け付ける移動量受付部と、印刷用紙のサイズ情報を受け付ける用紙サイズ受付部とを備え、移動量受付部が、用紙サイズ受付部によって受け付けられる印刷用紙のサイズ情報が変更された際、その変更後の印刷用紙のサイズの範囲内に印刷領域が収まるような移動量のみを受け付けるものであることを特徴とする。
【００１２】
本発明の印刷領域設定装置は、原稿を表す画像データの印刷用紙内における印刷領域の条件を受け付ける印刷領域設定装置において、印刷用紙内における印刷領域の位置の移動量を受け付ける移動量受付部と、原稿のサイズ情報を受け付ける原稿サイズ受付部とを備え、移動量受付部が、原稿サイズ受付部によって受け付けられる原稿のサイズ情報が変更された際、その変更後の原稿のサイズに応じた印刷領域が印刷用紙の範囲内に収まるような移動量のみを受け付けるものであることを特徴とする。
【００１３】
本発明の印刷領域設定装置は、原稿を表す画像データの印刷用紙内における印刷領域の条件を受け付ける印刷領域設定装置において、印刷用紙内における印刷領域の位置の移動量を受け付ける移動量受付部と、印刷用紙の向きの情報を受け付ける用紙向き受付部とを備え、移動量受付部が、用紙向き受付部によって受け付けられる印刷用紙の向き情報が変更された際、その変更後の印刷用紙の範囲内に印刷領域が収まるような移動量のみを受け付けるものであることを特徴とする。
【００１４】
本発明の印刷領域設定装置は、原稿を表す画像データの印刷用紙内における印刷領域の条件を受け付ける印刷領域設定装置において、印刷用紙内における印刷領域の位置の移動量を受け付ける移動量受付部と、原稿の向き情報を受け付ける原稿向き受付部とを備え、移動量受付部が、原稿向き受付部によって受け付けられる原稿の向き情報が変更された際、その変更後の原稿の向きに応じた印刷領域が印刷用紙の範囲内に収まるような移動量のみを受け付けるものであることを特徴とする。
【００１５】
また、上記本発明の印刷領域設定装置においては、移動量受付部を、変更前に入力された印刷領域の移動量が変更後において印刷用紙の範囲内に印刷領域が収まらない移動量である場合にのみ、変更前に入力された印刷領域の移動量を印刷用紙の範囲内に印刷領域が収まるような移動量に自動的に変更するものとすることができる。
【００１６】
また、移動量受付部を、変更前に入力された印刷領域の移動量を印刷用紙の範囲内における印刷領域の移動可能量の最大値に自動的に変更するものとすることができる。
【００１７】
また、移動量受付部を、印刷用紙の天から印刷領域の天までの長さと印刷用紙の地から印刷領域の地までの長さとの比率および印刷用紙の左端から印刷領域の左端までの長さと印刷用紙の右端から印刷領域の右端までの長さとの比率の少なくとも一方が、変更前と変更後とで変化しないように変更前に入力された印刷領域の移動量を自動的に変更するものとすることができる。
【００１８】
また、移動量受付部を、変更後の印刷領域の天地方向の基準位置として、印刷用紙の天、中央位置および地のうちのいずれか１つの選択を受け付けるものであるとともに、その選択された基準位置からの印刷領域の移動量を受け付けるものとすることができる。
【００１９】
また、移動量受付部を、変更後の印刷領域の左右方向の基準位置として、印刷用紙の左端、中央位置および右端のうちのいずれか１つの選択を受け付けるものであるとともに、その選択された基準位置からの印刷領域の移動量を受け付けるものとすることができる。
【発明の効果】
【００２０】
本発明の印刷領域設定装置によれば、印刷用紙のサイズ情報または向き情報が変更された際、その変更後の印刷用紙の範囲内に印刷領域が収まるような移動量のみを受け付けるようにしたので、ユーザーによって印刷領域の移動量が一旦設定された後、印刷用紙のサイズ情報や向き情報が変更されたとしても、原稿を適切に印刷用紙の範囲内に印刷することができる。
【００２１】
本発明の印刷領域設定装置によれば、原稿のサイズ情報または向き情報が変更された際、その変更後の原稿に応じた印刷領域が印刷用紙の範囲内に収まるような移動量のみを受け付けるようにしたので、ユーザーによって印刷領域の移動量が一旦設定された後、原稿のサイズや向き情報が変更されたとしても、原稿を適切に印刷用紙の範囲内に印刷することができる。
【００２２】
また、上記本発明の印刷領域設定装置において、変更前に入力された印刷領域の移動量が変更後において印刷用紙の範囲内に印刷領域が収まらない移動量である場合にのみ、変更前に入力された印刷領域の移動量を印刷用紙の範囲内に印刷領域が収まるような移動量に自動的に変更するようにした場合には、印刷用紙の範囲内に収まる場合にまで移動量の自動設定を行わなくてよく無駄な処理を省略することができる。
【００２３】
また、変更前に入力された印刷領域の移動量を印刷用紙の範囲内における印刷領域の移動可能量の最大値に自動的に変更するようにした場合には、ユーザーが改めて移動量を設定する必要がなく、ユーザーの手間を省くことができる。
【００２４】
また、印刷用紙の天から印刷領域の天までの長さと印刷用紙の地から印刷領域の地までの長さとの比率および印刷用紙の左端から印刷領域の左端までの長さと印刷用紙の右端から印刷領域の右端までの長さとの比率の少なくとも一方が、変更前と変更後とで変化しないように変更前に入力された印刷領域の移動量を自動的に変更するようにした場合には、たとえば、ユーザーが印刷領域を印刷用紙内の中央に必ず配置したい場合などには、改めてユーザーが印刷領域の移動量を計算して設定する必要がなく、手間を省くことができる。
【００２５】
また、変更後の印刷領域の天地方向の基準位置として、印刷用紙の天、中央位置および地のうちのいずれか１つの選択を受け付けるとともに、その選択された基準位置からの印刷領域の移動量を受け付けるようにした場合には、たとえば、印刷領域を天、中央位置または地の位置から所望の長さだけ移動させたい場合に、その移動量の設定を容易に行うことができる。
【００２６】
また、変更後の印刷領域の左右方向の基準位置として、印刷用紙の左端、中央位置および右端のうちのいずれか１つの選択を受け付けるとともに、その選択された基準位置からの印刷領域の移動量を受け付けるようにした場合には、たとえば、印刷領域を左端、中央位置または右端の位置から所望の長さだけ移動させたい場合に、その移動量の設定を容易に行うことができる。
【図面の簡単な説明】
【００２７】
【図１】本発明の印刷領域設定装置の一実施形態を用いた孔版印刷システムのブロック図
【図２】図１に示すプリンタドライバの概略構成を示すブロック図
【図３】原稿のサイズおよび印刷用紙のサイズの設定を受け付けるユーザーインターフェースの画面の一例を示す図
【図４】原稿のサイズとしてＡ４サイズが、印刷用紙のサイズとしてＡ３サイズが設定された場合の印刷領域の初期設定の位置の一例を示す図
【図５】画像位置調整画面の一例を示す図
【図６】印刷領域の移動量として１２３ｍｍが設定された場合における印刷用紙と印刷領域との位置関係を示す図
【図７】原稿のサイズとしてＡ４サイズが、印刷用紙のサイズとしてＢ４サイズが設定された場合の印刷領域の初期設定の位置の一例を示す図
【図８】印刷領域の移動量として１２３ｍｍが設定された後、印刷用紙のサイズがＡ３サイズからＢ４サイズに変更された場合における印刷用紙と印刷領域との位置関係を示す図
【図９】原稿サイズおよび印刷用紙のサイズが変更された場合における印刷領域の移動量の設定方法を説明するためのフローチャート
【図１０】印刷用紙のサイズがＢ４サイズに変更された場合における画像位置調整画面の一例を示す図
【図１１】印刷領域の移動量を再設定した後の印刷用紙と印刷領域との位置関係を示す図
【図１２】原稿のサイズおよび印刷用紙のサイズの設定を受け付けるユーザーインターフェースの画面のその他の例を示す図
【図１３】Ａ４サイズの原稿の印刷領域をＡ３サイズの印刷用紙の中央に配置させるための移動量が設定された画像位置調整画面の一例を示す図
【図１４】印刷用紙のサイズがＢ４サイズに変更されたときの天地方向移動可能量Ｈ１と左右方向移動可能量Ｈ２とが表示された画像位置調整画面の一例を示す図
【図１５】印刷用紙のサイズがＢ４サイズに変更されたときに再計算された移動量が自動設定された画像位置調整画面の一例を示す図
【図１６】印刷用紙または原稿のサイズ変更後における印刷用紙に対する印刷領域の基準位置の選択を受け付ける画像位置調整画面の一例を示す図
【図１７】原稿の向きおよび印刷用紙の向きの設定を受け付けるユーザーインターフェースの画面の一例を示す図
【図１８】プリンタドライバのその他の実施形態を示すブロック図
【図１９】画像位置調整のチェックボックスがチェックされなかった場合の作用を説明するための図
【図２０】画像位置調整のチェックボックスがチェックされた場合の作用を説明するための図
【発明を実施するための形態】
【００２８】
以下、図面を参照して本発明の印刷領域設定装置の一実施形態を用いた孔版印刷システムについて詳細に説明する。本実施形態の孔版印刷システムは、印刷用紙内における印刷領域の位置の設定方法に特徴を有するものである。
【００２９】
本実施形態の孔版印刷システムは、図１に示すように、原稿を表す画像データを受け付け、ＰＤＬ(Page Description language)データなどの印刷データに変換して出力するとともに、画像データの印刷用紙内における印刷領域の条件を受け付けるプリンタドライバ１０がインストールされたコンピュータ１と、コンピュータ１のプリンタドライバ１０から出力された印刷データに基づいて、孔版印刷を行う孔版印刷装置２とを備えている。
【００３０】
図２は、コンピュータ１のプリンタドライバ１０の概略構成を示すブロック図である。プリンタドライバ１０は、図２に示すように、画像データの編集ソフトウェアから出力された画像データを受け付ける画像データ受付部１２と、印刷用紙内における画像データの印刷領域の位置の移動量を受け付ける移動量受付部１４、印刷用紙のサイズ情報を受け付ける用紙サイズ受付部１６と、原稿のサイズ情報を受け付ける原稿サイズ受付部１８と、画像データ受付部１２によって受け付けられた画像データに対し、移動量受付部１４によって受け付けられた印刷領域の移動量に基づいて画像処理を施すとともに、ＰＤＬデータの印刷データに変換して出力する画像処理部２０とを備えている。なお、各部の作用については、後で詳述する。
【００３１】
孔版印刷装置２については、単色印刷、両面印刷または２色印刷を行う孔版印刷装置、もしくはこれらの全ての印刷を行う孔版印刷装置を利用することができる。本発明は、プリンタドライバ２５による印刷領域の位置の設定方法に特徴を有するものであるので、孔版印刷装置の具体的な構成については説明を省略する。なお、本実施形態においては、単色印刷の孔版印刷装置を用いるものとする。
【００３２】
次に、本実施形態の孔版印刷システムの作用について説明する。
【００３３】
まず、コンピュータ１のプリンタドライバ１０によって、図３に示すようなユーザーインターフェースがモニタ上に表示され、そのユーザーインターフェースの画面において、ユーザーによって原稿のサイズと印刷用紙の用紙サイズとが設定される。
【００３４】
具体的には、図３に示すように、ユーザーインターフェースの画面上に、原稿のサイズを設定するためのプルダウンメニューＰＭ１と、印刷用紙の用紙サイズを設定するためのプルダウンメニューＰＭ２とが表示され、このプルダウンメニューＰＭ１，ＰＭ２において所定の用紙サイズが選択されることによってそれぞれのサイズが設定される。
【００３５】
ここでは、最初に、原稿のサイズとしてＡ４サイズ（２１０ｍｍ×２９７ｍｍ）が、印刷用紙の用紙サイズとしてＡ３サイズ（２９７ｍｍ×４２０ｍｍ）が設定されたものとする。プルダウンメニューＰＭ１によって設定された原稿のサイズ情報は原稿サイズ受付部１８によって受け付けられ、プルダウンメニューＰＭ２によって設定された印刷用紙のサイズ情報は用紙サイズ受付部１６によって受け付けられる。
【００３６】
そして、本実施形態の孔版印刷システムにおいては、上述したように印刷用紙のサイズよりも小さい原稿のサイズが設定された場合、図３に示す画面上における「画像位置調整」のチェックボックスがユーザーによりチェックされている場合には、図４に示すように、原稿Ｐ２の天と印刷用紙Ｐ１の天とが一致するとともに、原稿が印刷用紙の左右方向の中央位置にくるような印刷領域の位置が初期設定として設定される。なお、図４に示すグレーの部分が印刷領域である。また、図３に示す画面上における「画像位置調整」のチェックボックスがユーザーによりチェックされていない場合については、後で説明する。
【００３７】
そして、ユーザーが上述した初期設定の印刷領域の位置を変更したい場合には、「詳細」ボタンが押されると、図５に示すような画像位置調整画面が表示される。
【００３８】
画像位置調整画面においては、図５に示すように、印刷領域の天地方向の移動量の入力を受け付ける数値入力ボックスＳＢ１と、数値入力ボックスＳＢ１が受け付け可能な数値である天地方向移動可能量Ｈ１と、印刷領域の左右方向の移動量の入力を受け付ける数値入力ボックスＳＢ２と、数値入力ボックスＳＢ２が受け付け可能な数値である左右方向移動可能量Ｈ２とが表示される。
【００３９】
初期設定においては、印刷領域は図４に示すような位置に設定されるので、画像位置調整画面の天地方向移動可能量Ｈ１としては「０ - １２３」が表示され、左右方向移動可能量Ｈ２としては「−４３．５ - ４３．５」が表示される。天地方向移動可能量Ｈ１と左右方向移動可能量Ｈ２とは、用紙サイズ受付部１６によって受け付けられた印刷用紙のサイズ情報と原稿サイズ受付部１８によって受け付けられた原稿のサイズ情報と初期設定の印刷領域の位置とに基づいて、移動量受付部１４において算出される。
【００４０】
そして、たとえば、ユーザーが印刷領域の位置を天地方向に移動させたい場合には、０から１２３までの数値が数値入力ボックスＳＢ１に入力され、左右方向に移動させたい場合には、−４３．５から４３．５までの数値が数値入力ボックスＳＢ２に入力される。ここでは、たとえば、数値入力ボックスＳＢ１に「１２３」が入力され、数値入力ボックスＳＢ２に「０」が入力されたとする。この数値入力によって、Ａ３の印刷用紙に対するＡ４の原稿の印刷領域の位置は、図６に示すような位置となる。
【００４１】
そして、画像位置調整画面における「ＯＫ」ボタンが押されると、再び、図３に示す画面に戻るが、ここで、ユーザーによって原稿のサイズや印刷用紙のサイズが変更される場合がある。たとえば、印刷用紙のサイズがＡ４サイズからＢ４サイズ（２５７ｍｍ×３６４ｍｍ）に変更されたとすると、印刷領域の位置が初期設定のままの場合には、図７に示すように印刷領域の天地方向移動可能量は６７ｍｍとなり、左右方向移動可能量は−２３．５ｍｍから２３．５ｍｍとなる。
【００４２】
しかしながら、上述したように画像位置調整画面において、天地方向の移動量が１２３ｍｍに設定されている場合には、印刷用紙に対する印刷領域の位置が、図８に示すような位置となり、天地方向に５６ｍｍはみ出してしまい原稿を適切に印刷することができない不都合が生じてしまう。また、印刷用紙のサイズが変更された場合に限らず、原稿のサイズが、たとえば、Ａ４サイズからＢ４サイズに変更された場合にも、印刷領域の天地方向移動可能量が変わるので、画像位置調整画面において設定された移動量によっては適切な印刷を行えない場合が生じる。
【００４３】
そこで、本実施形態の孔版印刷システムにおいては、印刷用紙のサイズや原稿のサイズが変更されたとしても、上述したような問題を生じることなく適切な印刷を行うようにする。その具体的な方法を、図９に示すフローチャートを参照しながら説明する。
【００４４】
まず、移動量受付部１４において、入力された原稿のサイズ情報の変更があったか否かが判断される（Ｓ１０）。そして、原稿のサイズ情報の変更があった場合には、その変更後の原稿のサイズ情報と印刷用紙のサイズ情報と初期設定の印刷領域の位置とに基づいて、天地方向移動可能量と左右方向移動可能量とが算出される（Ｓ１２）。また、原稿のサイズ情報の変更がない場合には、移動量受付部１４において、入力された印刷用紙のサイズ情報の変更があったか否かが判断され（Ｓ１８）、印刷用紙のサイズ情報の変更があった場合にも、その変更後の印刷用紙のサイズ情報と原稿のサイズ情報と初期設定の印刷領域の位置とに基づいて、天地方向移動可能量と左右方向移動可能量とが計算される（Ｓ１２）。
【００４５】
そして、移動量受付部１４において再計算された天地方向移動可能量Ｈ１と左右方向移動可能量Ｈ２とが、図１０に示すように、画像位置調整画面に表示されるとともに、数値入力ボックスＳＢ１に入力可能な数値が、再計算された天地方向移動可能量に再設定され、数値入力ボックスＳＢ２に入力可能な数値が、再計算された左右方向移動可能量に再設定される。なお、このとき表示される画像位置調整画面は、上述したように図３に示す画面上の「詳細」ボタンが押されたときに表示するようにしてもよいし、この「詳細」ボタンが押されなくても印刷用紙のサイズや原稿のサイズが変更されたことを認識して自動的に表示するようにしてもよい。
【００４６】
そして、移動量受付部１４は、印刷用紙のサイズや原稿のサイズが変更される前に数値入力ボックスＳＢ１に入力された天地方向の移動量と再計算した天地方向移動可能量とを比較するとともに、印刷用紙のサイズや原稿のサイズが変更される前に数値入力ボックスＳＢ２に入力された左右方向の移動量と再計算した左右方向移動可能量とを比較する（Ｓ１４）。
【００４７】
そして、サイズ変更前の天地方向の移動量が再計算後の天地方向移動可能量よりも大きい場合には、数値入力ボックスＳＢ１内の数値を天地方向移動可能量の値に書き換え、印刷領域の天地方向の移動量を天地方向移動可能量に自動的に再設定する。また、サイズ変更前の左右方向の移動量が再計算後の左右方向移動可能量よりも大きい場合には、数値入力ボックスＳＢ２内の数値を左右方向移動可能量の値に書き換え、印刷領域の左右方向の移動量を左右方向移動可能量に自動的に再設定する（Ｓ１６）。要するに、原稿の印刷領域が印刷用紙内に収まるように天地方向および左右方向の移動量を再設定する。
【００４８】
図１０は、図５に示すように天地方向の印刷領域の移動量として１２３ｍｍが設定された後、印刷用紙のサイズがＡ３サイズからＢ４サイズに変更された場合に、天地方向および左右方向の移動量が再設定された後の画面を表している。印刷用紙のサイズ変更後の天地方向移動可能量は０ｍｍから６７ｍｍであり、サイズ変更前に設定された移動量１２３ｍｍよりも大きいので、数値入力ボックスＳＢ１内の数値が「６７」に書き換えられている。なお、左右方向の移動量については、サイズ変更前は０ｍｍに設定されており、再計算された左右方向移動可能量である−２３．５ｍｍから２３．５ｍｍの範囲内であるので変更されない。図１１に、上述したように印刷領域の移動量を再設定した後の、印刷用紙内の印刷領域の位置を示す。
【００４９】
また、上記実施形態の孔版印刷システムにおいては、上述したように、サイズ変更前の天地方向または左右方向の移動量が再計算後の天地方向または左右方向の移動可能量よりも大きい場合には、印刷領域の天地方向または左右方向の移動量を、天地方向または左右方向の移動可能量の値に自動的に再設定するようにしたが、印刷用紙内に印刷領域が収まるのであれば、再設定される移動量は必ずしも移動可能量の値でなくてもよい。
【００５０】
また、上記実施形態の孔版印刷システムにおいては、サイズ変更前に設定された印刷領域の移動量がサイズ変更後に再計算された移動可能量よりも大きい場合に、印刷領域の移動量を再設定するようにしたが、これに限らず、サイズ変更前の印刷領域の移動量がサイズ変更後に再計算された移動可能量以下である場合であっても、印刷用紙内における印刷領域の位置がユーザーの所望の位置となるように印刷領域の移動量を再設定するようにしてもよい。
【００５１】
具体的には、たとえば、図１２に示すように、ユーザーインターフェースの画面上にさらに、「原点からの位置」、「出力用紙に対する比率」および「出力用紙に対する位置」のいずれか１つの選択を受け付けるラジオボタンＲ１〜Ｒ３を表示させ、ユーザーによって選択された位置となるように印刷領域の移動量を再設定するようにしてもよい。上記の３つの位置について、以下に説明する。
【００５２】
まず、「原点からの位置」が選択された場合には、移動量受付部１４は、サイズ変更後の原稿のサイズ情報と印刷用紙のサイズ情報とに基づいて、印刷用紙の初期設定の位置に印刷領域が位置するように印刷領域の移動量を再設定する。すなわち、印刷用紙の天および左右方向について中央位置に印刷領域が位置するように移動量を自動的に再設定する。
【００５３】
また、「出力用紙に対する比率」が選択された場合には、移動量受付部１４は、印刷用紙の天から印刷領域の天までの長さと印刷用紙の地から印刷領域の地までの長さとの比率、および印刷用紙の左端から印刷領域の左端までの長さと印刷用紙の右端から印刷領域の右端までの長さとの比率が、印刷用紙または原稿のサイズ変更前とサイズ変更後とで変化しないように印刷領域の移動量を自動的に再設定する。
【００５４】
具体的には、たとえば、印刷用紙または原稿のサイズ変更前において、ユーザーがＡ４サイズの原稿の印刷領域をＡ３サイズの印刷用紙の中央に配置させたい場合には、図１３に示すように、数値入力ボックスＳＢ１に、天地方向の移動可能量１２３ｍｍを２で割った６１．５ｍｍが入力される。
【００５５】
そして、この６１．５ｍｍの入力の後、印刷用紙のサイズがＢ４サイズに変更された場合には、上述したように天地方向移動可能量Ｈ１と左右方向移動可能量Ｈ２が再計算されるが、図１４に示すように、現在設定されている天地方向の印刷領域の移動量は、天地方向移動可能量以下であるので、上記実施形態で説明した方法であると印刷領域の天地方向の移動量は再設定されることはない。
【００５６】
しかしながら、ユーザーによっては印刷用紙のサイズ変更後も、その印刷用紙の中央に印刷領域を配置させたい場合がある。そのような場合に「出力用紙に対する比率」が選択される。
【００５７】
そして、上述したように印刷用紙のサイズがＢ４サイズに変更された場合には、移動量受付部１４は、Ｂ４サイズの印刷用紙の中央に印刷領域が配置されるように天地方向の移動量を計算する。具体的には、天地方向の移動可能量６７ｍｍを２で割った３３．５ｍｍが計算され、図１５に示すように、数値入力ボックスＳＢ１の数値が３３．５に書き換えられて天地方向の移動量として自動的に再設定される。
【００５８】
なお、上記説明では、印刷用紙の中央に印刷領域が配置されるように移動量を設定するようにしたが、これに限らず、上述した比率が、印刷用紙または原稿のサイズ変更前とサイズ変更後とで変化しないようにするのであれば、印刷用紙内のどの位置に印刷領域を配置するようにしてもよい。
【００５９】
上述したように移動量を自動的に設定することによってユーザーが改めて移動量を算出し、設定し直す必要がなくなる。そして、ユーザーが、たとえば、印刷用紙の天から２／３の位置、左から１/４の位置に印刷領域を配置したい場合に特に効果的である。
【００６０】
また、「出力用紙に対する位置」が選択された場合には、移動量受付部１４は、図１６に示すような画像位置調整画面を表示する。図１６に示す画像位置調整画面においては、印刷用紙または原稿のサイズ変更後における印刷用紙に対する印刷領域の基準位置の選択を受け付けるようになっている。具体的には、天地方向についての印刷領域の基準位置を選択可能なプルダウンメニューＰＭ３と、左右方向についての印刷領域の基準位置を選択可能なプルダウンメニューＰＭ４とが表示される。そして、プルダウンメニューＰＭ３によって「天から」、「中央から」および「地から」のうちのいずれか１つが選択可能になっており、プルダウンメニューＰＭ４によって「左から」、「中央から」および「右から」のうちのいずれか１つが選択可能になっている。
【００６１】
そして、たとえば、図１６に示すようにプルダウンメニューＰＭ３によって「中央から」が選択され、プルダウンメニューＰＭ４によって「中央から」が選択された場合には、移動量受付部１４は、印刷用紙または原稿のサイズ変更後の印刷領域の基準位置が、印刷用紙の中央に位置するように自動的に設定し、さらに印刷領域の天地方向移動可能量Ｈ１と左右方向移動可能量Ｈ２として、印刷用紙の中央からの移動可能量を算出し、画像位置調整画面に表示する。そして、数値入力ボックスＳＢ１，ＳＢ２においては、上述したように計算された天地方向移動可能量Ｈ１と左右方向移動可能量Ｈ２とのみが入力可能となる。具体的には、原稿のサイズがＡ４サイズであり、印刷用紙のサイズがＡ３サイズからＢ４サイズに変更された場合には、天地方向については、図１６に示すように、−３３．５ｍｍから３３．５ｍｍまでの数値のみが入力可能になり、左右方向については、−２３．５ｍｍから２３．５ｍｍまでの数値のみが入力可能となる。また、原稿のサイズがＡ４サイズであり、逆に印刷用紙のサイズがＢ４サイズからＡ３サイズに変更された場合には、天地方向については、−６１．５ｍｍから６１．５ｍｍまでの数値のみが入力可能になり、左右方向については、−４３．５ｍｍから４３．５ｍｍまでの数値のみが入力可能となる。
【００６２】
また、プルダウンメニューＰＭ３によって「天から」が選択された場合には、移動量受付部１４は、印刷用紙または原稿のサイズ変更後の印刷領域の基準位置が、印刷用紙の天に位置するように自動的に設定し、印刷領域の天地方向移動可能量Ｈ１として、印刷用紙の天からの移動可能量を算出して画像位置調整画面に表示し、数値入力ボックスＳＢ１において、上述したように計算された天地方向移動可能量Ｈ１のみを入力可能とする。
【００６３】
また、プルダウンメニューＰＭ３によって「地から」が選択された場合には、移動量受付部１４は、印刷用紙または原稿のサイズ変更後の印刷領域の基準位置が、印刷用紙の地に位置するように自動的に設定し、印刷領域の天地方向移動可能量Ｈ１として、印刷用紙の地からの移動可能量を算出して画像位置調整画面に表示し、数値入力ボックスＳＢ１において、上述したように計算された天地方向移動可能量Ｈ１のみを入力可能とする。
【００６４】
また、プルダウンメニューＰＭ４によって「左から」が選択された場合には、移動量受付部１４は、印刷用紙または原稿のサイズ変更後の印刷領域の基準位置が、印刷用紙の左端に位置するように自動的に設定し、印刷領域の左右方向移動可能量Ｈ２として、印刷用紙の左端からの移動可能量を算出して画像位置調整画面に表示し、数値入力ボックスＳＢ２において、上述したように計算された左右方向移動可能量Ｈ２のみを入力可能とする。
【００６５】
また、プルダウンメニューＰＭ４によって「右から」が選択された場合には、移動量受付部１４は、印刷用紙または原稿のサイズ変更後の印刷領域の基準位置が、印刷用紙の右端に位置するように自動的に設定し、印刷領域の左右方向移動可能量Ｈ２として、印刷用紙の右端からの移動可能量を算出して画像位置調整画面に表示し、数値入力ボックスＳＢ２において、上述したように計算された左右方向移動可能量Ｈ２のみを入力可能とする。
【００６６】
また、「出力用紙に対する位置」が選択された場合には、プルダウンメニューＰＭ３，ＰＭ４において選択された内容に対応させて、画像位置調整画面の左側に表示されている印刷用紙に対する印刷領域（グレーの部分）の位置を示すアイコンの表示態様を変更するようにしてもよい。
【００６７】
「出力用紙に対する位置」が選択された場合、たとえば、原稿の左下の天が印刷用紙の地から１５ｍｍ、左から１０ｍｍの位置になるように印刷領域を設定したい場合に特に効果的である。
【００６８】
また、「出力用紙に対する比率」と「出力用紙に対する位置」は、印刷領域の移動可能量が、印刷用紙または原稿のサイズ変更によって「減る場合」だけでなく、「増える場合」にも適用可能である。
【００６９】
また、上記説明においては、印刷用紙のサイズまたは原稿のサイズがユーザーに変更された場合における印刷領域の位置の設定方法について説明したが、印刷用紙のサイズまたは原稿のサイズに限らず、原稿の向き（縦方向と横方向）が変更された場合、または、印刷用紙の向き（縦方向と横方向）が変更された場合にも、印刷領域の移動可能量が変更されるので、変更後の印刷領域の位置の設定方法について、上記と同様の方法を用いることができる。
【００７０】
なお、原稿の向きについては、図１７に示すようにラジオボタンＲ４，Ｒ５を選択することによって変更することができ、印刷用紙の向きについては、プルダウンメニューＰＭ２の選択枝を、たとえば、Ａ４縦、Ａ４横、Ａ３縦、Ａ３横などといった内容にし、印刷用紙のサイズだけでなく向きも選択できるようにすればよい。そして、図１８に示すように、プリンタドライバ１０の用紙向き受付部２２によって印刷用紙の向き情報を受け付けるとともに、原稿向き受付部２４によって原稿の向き情報を受け付け、移動量受付部１４が、印刷用紙の向きまたは原稿の向きが変更された場合に、上記と同様の方法によって天地方向移動可能量および左右方向移動可能量を再計算し、変更後の印刷領域の位置を設定するようにすればよい。
【００７１】
また、上記説明は、図３に示すユーザーインターフェースの画面において、「画像位置調整」のチェックボックスがユーザーによってチェックされた場合について説明したが、このチェックボックスがチェックされず、印刷用紙のサイズよりも小さい原稿のサイズが設定された場合には、印刷用紙のサイズおよび向きに合わせて原稿を表す画像データに対して回転処理および縮小処理を施す。具体的には、たとえば、図１９に示すように、原稿のサイズとしてＡ４サイズ、原稿の向きとして横、印刷用紙のサイズとしてＡ３サイズ、印刷用紙の向きとして縦が設定されている場合には、画像処理部２０において、原稿を表す画像データに９０度回転処理が施され、さらにＡ３サイズに拡大する拡大処理が施される。また、印刷用紙のサイズよりも大きい原稿のサイズが設定された場合においても、印刷用紙のサイズに合うように回転処理および縮小処理が施される。
【００７２】
そして、たとえば、図２０に示すように、会社のロゴのような印刷用紙のサイズより小さい原稿を印刷する場合などそのままの原稿のサイズや向きで印刷を行いたい場合には、上記のような自動回転および自動拡縮処理は必要ないので、「画像位置調整」のチェックボックスをチェックして、上述したように印刷領域を設定して印刷することができる。
【００７３】
なお、印刷用紙のサイズよりも大きい原稿のサイズが設定された場合には、「画像位置調整」のチェックボックスは反転表示され、ユーザーによるチェックを受け付けできないようになり、自動的に縮小処理が施される。
【００７４】
また、上記実施形態の孔版印刷システムは、本発明の印刷領域設定装置をプリンタドライバ１０としてコンピュータ１に実装したものであるが、これに限らず、本発明の印刷領域設定装置を孔版印刷装置２側に設けるようにしてもよい。この場合には、孔版印刷装置に設けられた画像読取部によって読み取られた画像データを受け付けるようにすることができる。なお、この場合、ユーザーインターフェースについては、コンピュータ１に表示させてもよいし、孔版印刷装置２に設けられたタッチパネルなどからなる操作部に表示させるようにしてもよい。
【００７５】
また、上記実施形態の孔版印刷システムにおいては、単色印刷の孔版印刷装置を用いた場合の印刷領域の設定方法について説明したが、両面印刷の孔版印刷装置を用いる場合には、表面と裏面との印刷領域を上記実施形態と同様にして個別に設定すればよく、また、２色印刷の孔版印刷装置を用いる場合には、第１色の原稿の印刷領域と第２色の原稿の印刷領域とを上記実施形態と同様にして個別に設定すればよい。
【００７６】
また、上記実施形態は本発明の印刷領域設定装置を孔版印刷システムに適用したものであるが、これに限らず、インクジェットプリンタを備えたシステムに適用するようにしてもよい。
【符号の説明】
【００７７】
１     コンピュータ
２     孔版印刷装置
１０   プリンタドライバ
１２   画像データ受付部
１４   移動量受付部
１６   用紙サイズ受付部
１８   原稿サイズ受付部
２０   画像処理部
２２   用紙向き受付部
２４   原稿向き受付部
【図１】
2011086153.tif 000003
【図２】
2011086153.tif 000004
【図９】
2011086153.tif 000005
【図１８】
2011086153.tif 000006
【図１９】
2011086153.tif 000007
【図２０】
2011086153.tif 000008
【図３】
2011086153.tif 000009
【図４】
2011086153.tif 000010
【図５】
2011086153.tif 000011
【図６】
2011086153.tif 000012
【図７】
2011086153.tif 000013
【図８】
2011086153.tif 000014
【図１０】
2011086153.tif 000015
【図１１】
2011086153.tif 000016
【図１２】
2011086153.tif 000017
【図１３】
2011086153.tif 000018
【図１４】
2011086153.tif 000019
【図１５】
2011086153.tif 000020
【図１６】
2011086153.tif 000021
【図１７】
2011086153.tif 000022